【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】少なくとも第１基地局及び第２基地局並びに少なくとも１つのワイヤレス端末を有するネットワーク内での効率的なハンドオフを容易にする方法において、
（Ａ）前記少なくとも１つのワイヤレス端末から、前記第１基地局から前記第２基地局へのハンドオフのリクエストを受領するステップと、
（Ｂ）前記リクエストに応答して、前記少なくとも１つのワイヤレス端末と前記第１基地局との間でデータの送信を開始したレイヤ−３パケットにつき、前記第１基地局から前記第２基地局に少なくとも１つのレイヤ−２フレームを転送するステップと、を有し、前記レイヤ−３パケットの少なくとも一部が実際にはレイヤ−２で送信されていない場合でも、前記レイヤ−３パケットはレイヤ−３で送信されたと示されることを特徴とする方法。
【請求項２】（Ｃ）前記レイヤ−２フレームを、前記第２基地局から前記ワイヤレス端末に送信するステップをさらに有することを特徴とする請求項１記載の方法。
【請求項３】前記レイヤ−２フレームは、前記第１基地局と前記第２基地局のうちの一方と前記ワイヤレス端末との間で送信されてはいないフレームであることを特徴とする請求項１記載の方法。
【請求項４】前記レイヤ−２フレームは、前記ワイヤレス端末から前記第１基地局にすでに送信されたフレームであることを特徴とする請求項１記載の方法。
【請求項５】前記レイヤ−２フレームは、特別なレイヤ−３パケットの一部として送信されることを特徴とする請求項２記載の方法。
【請求項６】前記特別なレイヤ−３パケットは、前記特別なレイヤ−３パケット内にあるフレームの数を決定することができる情報を含むことを特徴とする請求項５記載の方法。
【請求項７】前記特別なレイヤ−３パケットは、前記特別なレイヤ−３パケット内にあり、送信が開始され、送信されたことが示されたフレームの数を示す情報を含むことを特徴とする請求項５記載の方法。
【請求項８】前記特別なレイヤ−３パケットは、前記第１基地局と前記ワイヤレス端末との間ですでに送信されたフレームの数を示す情報を含むことを特徴とする請求項５記載の方法。
【請求項９】少なくとも第１基地局及び第２基地局と少なくとも１つのワイヤレス端末をとを有するネットワーク内での効率的なハンドオフを容易にする方法において、
（Ａ）レイヤ−３パケットを構成するレイヤ−２フレームを、前記第１基地局と前記ワイヤレス端末との間でワイヤレスリンクを介して送信するステップと、
（Ｂ）前記ワイヤレス端末から、前記第１基地局から前記第２基地局へのハンドオフのリクエストを、前記レイヤ−２フレームの少なくとも１つを送信した後で、前記レイヤ−３パケットのレイヤ−２フレームの全てが前記ワイヤレスリンクを介して送信される前に受信するステップと、
（Ｃ）前記リクエストに応答して、少なくとも１つの送信されていないレイヤ−２フレームを前記第１基地局から前記第２基地局に送信するステップと、を有することを特徴とする方法。
【請求項１０】前記少なくとも１つの送信されていないレイヤ−２フレームは、前記第１基地局から前記第２基地局にレイヤ−３パケットで送信されることを特徴とする請求項９記載の方法。
【請求項１１】前記少なくとも１つの送信されていないレイヤ−２フレームは、前記第２基地局から前記ワイヤレス端末に送信されることを特徴とする請求項９記載の方法。
【請求項１２】（Ｄ）前記（Ａ）のステップで送信されたレイヤ−２フレームの数を送信するステップをさらに有することを特徴とする請求項９記載の方法。
【請求項１３】（Ｅ）前記レイヤ−２フレームの数を、レイヤ−３パケットで送信するステップをさらに有することを特徴とする請求項９記載の方法。
【請求項１４】少なくとも第１基地局及び第２基地局と少なくとも１つのワイヤレス端末とを有するネットワーク内での効率的なハンドオフを容易にする方法において、
前記第１基地局から前記第２基地局への前記少なくとも１つのワイヤレス端末のハンドオフのリクエストに応答して、前記少なくとも１つのワイヤレス端末と前記第１基地局との間でデータの送信を開始したレイヤ−３パケットについて少なくとも１つのレイヤ−２フレームを前記第１基地局から前記第２基地局へ転送するステップを含み、前記レイヤ−３パケットは、前記レイヤ−３パケットの少なくとも一部が実際にはレイヤ−２で送信されなかった場合でも、レイヤ−３で転送されたと示されることを特徴とする方法。
【請求項１５】前記レイヤ−２フレームは、前記第１基地局と前記第２基地局のうちの一方と前記ワイヤレス端末との間で送信されてはいないフレームであることを特徴とする請求項１４記載の方法。
【請求項１６】前記レイヤ−２フレームは、前記ワイヤレス端末から前記第１基地局にすでに送信されたフレームであることを特徴とする請求項１４記載の方法。
【請求項１７】前記レイヤ−２フレームは、前記第１基地局から前記ワイヤレス端末へ送信されていないフレームであることを特徴とする請求項１４記載の方法。
【請求項１８】前記ハンドオフのリクエストは、前記少なくとも１つのワイヤレス端末により開始されることを特徴とする請求項１４記載の方法。
【請求項１９】前記ハンドオフのリクエストは、前記第１基地局により開始されることを特徴とする請求項１４記載の方法。
【請求項２０】前記ハンドオフのリクエストは、前記第２基地局により開始されることを特徴とする請求項１４記載の方法。
【請求項２１】（Ｆ）前記第２基地局から前記ワイヤレス端末に、前記レイヤ−２フレームを送信するステップをさらに有することを特徴とする請求項１４記載の方法。
【請求項２２】（Ｇ）前記レイヤ−２フレームを送信するステップで送信されたレイヤ−２フレームの数を表す情報を送信するステップをさらに有することを特徴とする請求項１４記載の方法。
【請求項２３】前記レイヤ−２フレームは、レイヤ−３パケットの一部として送信されることを特徴とする請求項１４記載の方法。
【請求項２４】少なくとも第１基地局及び第２基地局と少なくとも１つのワイヤレス端末とを有するネットワーク内での効率的なハンドオフを容易にする方法において、
前記第１基地局から前記第２基地局への前記少なくとも１つのワイヤレス端末のハンドオフの開始に応答して、前記少なくとも１つのワイヤレス端末と前記第１基地局との間でデータの送信を開始したレイヤ−３パケットについて少なくとも１つのレイヤ−２フレームを前記第１基地局から前記第２基地局へ転送するステップを含み、前記レイヤ−３パケットは、前記レイヤ−３パケットの少なくとも一部が実際にはレイヤ−２で送信されなかった場合でも、レイヤ−３で転送されたと示されることを特徴とする方法。
【請求項２５】少なくとも第１基地局及び第２基地局と少なくとも１つのワイヤレス端末とを有するネットワーク内での効率的なハンドオフを容易にする方法において、
前記少なくとも１つのワイヤレス端末からの、前記第１基地局から前記第２基地局へのハンドオフのリクエストに応答して、前記少なくとも１つのワイヤレス端末と前記第１基地局との間でデータの送信を開始したレイヤ−３パケットについて少なくとも１つのレイヤ−２フレームを前記第１基地局から前記第２基地局へ転送するステップを含み、前記レイヤ−３パケットは、前記レイヤ−３パケットの少なくとも一部が実際にはレイヤ−２で送信されなかった場合でも、レイヤ−３で転送されたと示されることを特徴とする方法。
【請求項２６】前記少なくとも１つのレイヤ−２フレームは、レイヤ−３パケットで送信されることを特徴とする請求項２５記載の方法。
【請求項２７】前記レイヤ−３パケット内で、前記少なくとも１つのレイヤ−２フレームの数を示す情報を送信するステップをさらに有することを特徴とする請求項２５記載の方法。